(57)【要約】【課題】ジョーを大型化することなく、発熱手段で発生した熱を無駄なく目的組織へ伝えることができる医療器械を提供する。【解決手段】熱凝固切開鉗子１は、対向配置され、互いに対して開閉可能に生体組織を把持する一方のジョー本体５０を備えている。このジョー本体５０には、発熱する発熱体８０と、この発熱体８０の少なくとも一部を覆う断熱部材５５とが配設されている。さらに、このジョー本体５０には、このジョー本体５０に対して対向するジョー本体４２に向けて発熱体８０により発生させた熱を伝熱する伝熱部材４８が配設されている。【選択図】    図３
2005040215.tif 000002
【特許請求の範囲】
【請求項１】
互いに開閉可能な１対のジョー本体と、これらジョー本体を開閉操作する操作部とを備えた医療器械において、
少なくとも一方のジョー本体に設けられ、他方のジョー本体に面する対向面から反対側外周表面まで貫通する窓部と、
この窓部内に配設されるとともに、前記外周表面に滑らかに設けられた断熱部材と、
前記断熱部材に一部が覆われ、通電すると発熱する発熱手段と、
前記発熱手段に接触した状態に設けられ、前記発熱手段により発生させた熱を他方のジョー本体に向けて伝熱する伝熱手段と
を具備することを特徴とする医療器械。
【請求項２】
前記ジョー本体は、前記断熱部材と一体的に形成されていることを特徴とする請求項１に記載の医療器械。
【請求項３】
前記窓部内の断熱部材は、前記ジョー本体の外周面側で、前記窓部の縁部またはその近傍に厚肉部を有することを特徴とする請求項１に記載の医療器械。
【請求項４】
通電すると発熱する発熱部材と、
この発熱部材を保持し、断熱部材で形成された第１のジョーと、
断熱部材で形成され、前記発熱部材に対向する受部を備えた第２のジョーと、
前記第１および第２のジョーに接続され、第１および第２のジョーの開閉操作を行なう操作部と
を具備することを特徴とする医療器械。
【請求項５】
体腔内に挿入される細長い挿入部と、
この挿入部の先端部に設けられ、弾性を有するアームと、このアームの先端部に設けられた発熱手段とを備えた処置部と、
この処置部の近傍に設けられ、前記アームを所定の方向に偏向させる偏向手段と、
前記挿入部の手元側に設けられ、前記処置部のアームを前記偏向手段で偏向させる操作部と
を具備することを特徴とする医療器械。
【請求項６】
前記挿入部は、前記処置部と操作部との間に管状部材と、この管状部材の内部を進退自在な駆動軸とを備え、
前記駆動軸の先端部には、前記アームが連結され、
前記管状部材の先端部には、前記偏向手段が設けられていることを特徴とする請求項５に記載の医療器械。
【発明の詳細な説明】
【０００１】
【発明の属する技術分野】
この発明は、生体組織に対して凝固・止血あるいは切開などの外科的処置を行なう医療器械に関する。
【０００２】
【従来の技術】
生体組織に対して凝固・止血あるいは切開などの外科的処置を行なうため、互いに開閉し、生体組織を把持する１対のジョーと、これらのジョーを開閉させるための操作部とを備えた医療器械が一般に知られている。この医療器械の一方または両方のジョーには、通電により発熱する発熱素子が設けられている。このような医療器械のジョー間で生体組織を把持したときに発熱素子を発熱させると、生体組織の凝固や凝固した生体組織の切開などの加熱処置を行える。このため、この医療器械は通常、生体組織に含まれる血液の止血や、生体組織の表層の病変部や出血部の焼灼、凝固、また避妊を目的とした卵管の閉塞など多様な手術症例に用いられる。
【０００３】
なお、この医療器械で生体組織の止血、焼灼、凝固、閉塞あるいは切開などの様々な外科的処置を行なう場合には、それに先立って予め剥離鉗子などの手術器具によって機械的に目的組織や周辺組織の圧排、把持、剥離などを行っておく。そして、内視鏡の作業（挿入）領域や術者の視野や医療器械の作業領域を確保する手術操作を行っておく。
【０００４】
例えば特許文献１には、互いに開閉する１対のジョーの少なくとも一方にセラミックヒーターなどの発熱素子を設けた医療器械が開示されている。この医療器械には、少なくとも一方のジョーに生体組織に接触する刃物形状に突出した発熱板（処置部）が設けられている。この発熱板には、発熱素子で発生させた熱を発熱板に伝熱させるように、熱源部である発熱素子が固定されている。このため、発熱板に接触あるいは押し付けられた生体組織の加熱処置を行なえる。
【０００５】
また、特許文献２には、１対のジョーの一方にセラミックヒーターなどの発熱素子を設けた医療器械が開示されている。他方のジョーには、発熱素子と接触する断熱部材が配設されている。このため、一方のジョーが他方のジョーに接触しているときには、発熱素子から熱が逃げ難く、処置の伝熱効率を向上させることができる。
【０００６】
また、例えば特許文献３には、ピンセット型の高周波電気手術用医療器械が開示されている。この医療器械は、弾性を有するピンセット型アームの先端の電極部以外をそれぞれ電気的に絶縁している。そして、アームの対向する１対の電極の間に生体組織を挟みこんだ状態でその間に双極型高周波電流を流す。すると、生体組織を電気的に凝固したり、切開することができる。
【０００７】
【特許文献１】
特開２００１−１９８１３７号公報
【０００８】
【特許文献２】
特開２００１−３４０３４９号公報
【０００９】
【特許文献３】
特開平８−２９４４９４号公報
【００１０】
【発明が解決しようとする課題】
上記特許文献１および特許文献２に開示された医療器械では、発熱素子で発生させた熱は処置を目的とした生体組織に伝えられると同時に発熱素子を保持・固定する部材（ジョー）にも伝熱して逃げてしまう。このため、医療器械による加熱処置効率は、ジョーの熱伝導率が高いほど低い状態にある。
【００１１】
この医療器械の加熱処置効率を向上させるため、発熱素子とジョーとの間に断熱部材を設けて発熱素子を断熱部材で保持、固定する必要がある。すなわち、発熱素子を断熱部材とジョーとの二重構造で覆う必要がある。
【００１２】
しかし、上述したように、発熱素子を断熱部材とジョーとの二重構造で覆うと、強度を確保するためにジョーを大型化することが避けられず、生体組織を繊細に処置することが難しくなる。また、特にこの医療器械を内視鏡下外科手術の処置具として使用する場合には、処置部がいっそう小型・細径であることが求められる。
【００１３】
また、上記特許文献３に開示されたピンセット型の医療器械は、生体組織を摘まんで切開または凝固する際に焼灼された壊死状態の生体組織の一部が弾性アームの先端部に焦げ付いて付着することがある。弾性アームの先端部の焦げ付きによる付着物は、高周波電流の通電の抵抗となってしまい、処置効率が低下するという問題がある。さらに、付着物を除去するため、手間がかかるという問題がある。
【００１４】
この発明は、このような課題を解決するためになされたもので、その目的の１つは、ジョーを大型化することなく、発熱手段で発生した熱を無駄なく目的組織へ伝えることができる医療器械を提供することにある。
【００１５】
また、他の目的は、安定した凝固能力および切開能力を発揮し、かつ、先端の処置部に生体組織が付着し難く、再出血を防止することができる、安全で、構造が簡単な医療器械を提供することにある。
【００１６】
【課題を解決するための手段】
上記課題を解決するために、この発明の医療器械は、互いに開閉可能な１対のジョー本体と、これらジョー本体を開閉操作する操作部とを有する。そして、この医療器械は、少なくとも一方のジョー本体に設けられ、他方のジョー本体に面する対向面から反対側外周表面まで貫通する窓部と、この窓部内に配設されるとともに、前記外周表面に滑らかに設けられた断熱部材と、前記断熱部材に一部が覆われ、通電すると発熱する発熱手段と、前記発熱手段に接触した状態に設けられ、前記発熱手段により発生させた熱を他方のジョー本体に向けて伝熱する伝熱手段とを備えていることを第１の特徴とする。
このような構成によって、発熱手段で発生させた熱を無駄なく目的組織に伝えることができる。また、対向する把持部本体に向けて発熱させるとともに、その反対側には伝熱し難くなっているので、生体組織の付着が防止される。また、断熱部材の背中側表面は、把持部本体の背中側表面と段差なく滑らかに繋げられる。このため、組織の剥離を行ったりするなどの手術操作を安全に行なうことができる。また、窓部に断熱部材を備えたので、ジョーの大型化が防止される。
【００１７】
また、前記ジョー本体は、好ましくは前記断熱部材と一体的に形成されていることを第２の特徴とする。
このような構成を有するので、さらに断熱性を向上させるとともに、成形性を向上させることができる。
【００１８】
また、前記窓部内の断熱部材は、好ましくは前記ジョー本体の外周面側で、前記窓部の縁部またはその近傍に厚肉部を有することを第３の特徴とする。
このような構成によって、発熱手段から発せられた熱を断熱するのに十分な断熱性を断熱部材に備えることができる。
【００１９】
さらに、医療器械は、通電すると発熱する発熱部材と、この発熱部材を保持し、断熱部材で形成された第１のジョーと、断熱部材で形成され、前記発熱部材に対向する受部を備えた第２のジョーと、前記第１および第２のジョーに接続され、第１および第２のジョーの開閉操作を行なう操作部とを備えていることを第４の特徴とする。
【００２０】
このような構成によって、発熱手段で発生させた熱を無駄なく目的組織に伝えることができる。また、対向する把持部本体に向けて発熱させるとともに、その反対側には伝熱し難くなっているので、生体組織の付着が防止される。また、第１のジョーが断熱部材で一体成形されているので、成形性を向上させることができ、ジョーの背中側表面と段差なく滑らかに形成することができる。このため、組織の剥離を行ったりするなどの手術操作を安全に行なうことができる。
【００２１】
また、医療器械は、体腔内に挿入される細長い挿入部と、この挿入部の先端部に設けられ、弾性を有するとともに断熱性を有するアームと、このアームの先端部で一部が断熱された状態で発熱する発熱手段と、この発熱手段に接触した状態で配設され、発熱手段で発熱した熱が伝熱される伝熱部材とを備えた処置部と、この処置部の近傍に設けられ、前記アームを所定の方向に偏向させる偏向手段と、前記挿入部の手元側に設けられ、前記処置部のアームを前記偏向手段で偏向させる操作部とを備えていることを第５の特徴とする。
このような構成によって、アーム（処置部）の先端が断熱性を有するので、処置部に生体組織が付着し難くなる。そうすると、安定した凝固能力および切開能力を発揮させることができる。また、処置部に生体組織が付着し難くなると、付着物除去の手間が減少する。
【００２２】
また、前記挿入部は、前記処置部と操作部との間に管状部材と、この管状部材の内部を進退自在な駆動軸とを備え、前記駆動軸の先端部には、前記アームが連結され、前記管状部材の先端部には、前記偏向手段が設けられていることを第６の特徴とする。
このような構成によって、アームを偏向させる（開閉する）ことが容易になるので、伝熱部材を所望の位置に接触させることができる。
【００２３】
【発明の実施の形態】
以下、図面を参照しながらこの発明の実施の形態について説明する。まず、第１の実施の形態について図１ないし図６を用いて説明する。
図１に示すように、この実施の形態に係わる医療器械における熱凝固切開鉗子１は、処置具２と電源装置３とを備えている。処置具２と電源装置３とは長い接続コード４で電気的に接続されている。電源装置３には術者が足で電源装置３のＯＮ／ＯＦＦや、電力（出力）調整などを制御するためのフットスイッチ５が接続コード４ａを介して接続されている。
【００２４】
処置具２は、手元側の操作部７と、この操作部７に基端部が連結された挿入部８と、この挿入部８の先端に設けられた処置部（把持部）９とを備えている。操作部７は、操作部本体１１を備えている。この操作部本体１１には、固定ハンドル１２ａが一体的に設けられている。この固定ハンドル１２ａは、枢支軸１３を備え、この枢支軸１３に可動ハンドル１２ｂが回動（開閉）自在に枢支されている。すなわち、固定ハンドル１２ａには、可動ハンドル１２ｂが枢支軸１３で枢支されている。
【００２５】
操作部本体１１には、上述した挿入部８を支持する挿入部固定部材１５が固定ハンドル１２ａの上端部に設けられている。この挿入部固定部材１５の先端側には、挿入部８を軸まわり方向に回動させる回転操作部（円盤）１６が設けられている。この回転操作部１６の周縁部には、好ましくは周方向に沿って複数の凹部を並設した滑り止め１６ａが形成されている。
【００２６】
図２に示すように、挿入部８は、細径のパイプ状部材１７と、このパイプ状部材１７に内挿され、前後に進退自在に貫通された駆動軸（駆動パイプ）１８とを備えている。図３（Ａ）に示すように、この駆動軸１８には、駆動軸１８の軸方向に沿って孔部１９が形成されている。この孔部１９は、駆動軸１８の先端部から基端部まで貫通されている。すなわち、駆動軸１８はパイプ状に形成されている。
【００２７】
図４に示すように、このパイプ状部材１７の先端部には、前方側に突出し、後述する第２のジョー３３ｂに連結される突出部１７ａが一体的に形成されている。図２に示すように、パイプ状部材１７の手元側には、筒状の挿入部本体２１が外装されている。この挿入部本体２１は、上述した操作部７の挿入部固定部材１５に着脱可能かつ回動自在に装着されている。挿入部本体２１の後端部には、駆動軸１８の外周をシールするシール部材２２が設けられている。駆動軸１８は、このシール部材２２を貫通してさらに後方に延出されている。このため、挿入部本体２１に対して駆動軸１８が軸方向に進退してもシール部材２２によって挿入部本体２１と駆動軸１８との間が水密および気密に保たれる。
【００２８】
挿入部本体２１の先端側には、上述した円盤状の回転操作部１６が配設されている。この回転操作部１６の先端側には、パイプ状部材１７の内部と駆動軸１８の外部との間の空間に連通する例えば洗浄用などのポート２４が設けられている。
【００２９】
また、駆動軸１８には、その手元側に可動ハンドル１２ｂへの取付部２６が形成されている。この取付部２６は、可動ハンドル１２ｂに設けられた駆動軸固定部材２７（図１参照）によって着脱可能に枢支連結されている。このため、枢支軸１３を支点とする固定ハンドル１２ａに対する可動ハンドル１２ｂの回動操作により、駆動軸１８がその軸方向に沿って所定の範囲内で移動する（進退する）。
【００３０】
図１および図２に示すように、駆動軸１８の後方には、柔軟なチューブ２８が連結されて後方側に延出されている。このチューブ２８の後端には、電気コネクタ２９が配設されている。この電気コネクタ２９は、接続コード４を介して電源装置３に接続されている。そして、チューブ２８と駆動軸１８との連結部の外周には、弾性部材からなる折れ止め３１ａが配設されている。この折れ止め３１ａは、チューブ２８を適当な長さ分覆っていることが好ましい。このチューブ２８と電気コネクタ２９との連結部の外周には、同様に弾性部材からなる折れ止め３１ｂが配設されている。このため、２つの折れ止め３１ａ，３１ｂによってチューブ２８が曲げられ難く、また、曲げられても破損を防止するように保護されている。
【００３１】
図４に示すように、挿入部８（駆動軸１８）の先端には、処置部９が配設されている。この処置部９は、１対のジョー３３ａ，３３ｂ（一方を第１のジョー３３ａとし、他方を第２のジョー３３ｂとする）を備えている。第１および第２のジョー３３ａ，３３ｂは、これらのジョー３３ａ，３３ｂの基端部側で共通の枢支軸３５によって互いに連結されている。このため、第１および第２のジョー３３ａ，３３ｂは、枢支軸３５を中心として互いに対して回動して開閉される。
【００３２】
図３（Ａ）および図４に示すように、第１のジョー３３ａは、第２のジョー３３ｂに近接する側が略刃物形状の刃部（伝熱部材）４８として形成されている。図３（Ａ）ないし図３（Ｄ）に示すように、第１のジョー３３ａの背側、すなわち、第２のジョー３３ｂに離隔する側は、滑らかな曲面状に段差なく形成されている。このため、第１のジョー３３ａの背側で例えば生体組織などを引っ掛けることが防止される。一方、図４に示すように、第２のジョー３３ｂは、第１のジョー３３ａの刃部４８を受ける受部として形成されている。
【００３３】
図３（Ａ）に示すように、第１のジョー３３ａの基端部には、上述した駆動軸１８および第２のジョー３３ｂに連結される基部３７が設けられている。この基部３７の基端部は、駆動軸１８の軸方向（進退方向）に対して直交する方向に設けられた駆動ピン３８で駆動軸１８の先端部に枢支されている。このため、駆動ピン３８を枢軸として第１のジョー３３ａが駆動軸１８の先端部で回動される。
【００３４】
図４に示すように、第２のジョー３３ｂの基端部には、第１のジョー３３ａの基部３７に連結される基部４０が設けられている。ところで、上述したように、パイプ状部材１７の先端部には、突出部１７ａが設けられている。第２のジョー３３ｂの基部４０は、パイプ状部材１７の先端部で軸方向に対して直交し、上述した駆動ピン３８に平行に設けられたピン４１でパイプ状部材１７の突出部１７ａに枢支されている。このため、第２のジョー３３ｂは、ピン４１を枢支軸としてパイプ状部材１７の突出部１７ａに対して回動される。なお、このピン４１は、基部４０とジョー本体（把持部本体）４２の基端部とを固定する。このため、このピン４１は、それぞれ第２のジョー３３ｂの基部４０とジョー本体４２とを固定する固定ピンである。
【００３５】
第２のジョー３３ｂのジョー本体４２には、上述した第１のジョー３３ａの刃部４８の縁部４８ａが当接される受部４３が設けられている。この受部４３は、シリコーンゴム材やフッ素樹脂材など断熱性や耐熱性を有するとともに柔らかい材料で形成されている。このため、第１のジョー３３ａの刃部（伝熱手段）４８が例えば前後左右に多少傾いていても、両ジョー３３ａ，３３ｂを強く閉じることで刃部４８の全長が受部４３に当接される。
【００３６】
そして、１対のジョー３３ａ，３３ｂの両基部３７，４０には、両基部３７，４０を枢支する枢支軸３５が上述した駆動ピン３８およびピン４１に平行に設けられている。この枢支軸３５は、第１のジョー３３ａの基部３７の先端側で、かつ、第２のジョー３３ｂの基部４０の基端部に設けられている。このため、１対のジョー３３ａ，３３ｂは、枢支軸３５で互いのジョー３３ａ，３３ｂに対して回動して開閉する。また、１対のジョー３３ａ，３３ｂは、所定の位置以上にそれぞれ上下方向に回動することが防止される。
【００３７】
図３（Ａ）ないし図３（Ｄ）に示すように、第１のジョー３３ａは、外枠としてジョー本体（把持部本体）５０を基部３７の先端側に備えている。このジョー本体５０は、例えばステンレスやチタンなどの金属材やＦＲＰなどの硬質プラスチック材等で形成されている。
【００３８】
図３（Ｂ）に示すように、このジョー本体５０の略中央部には、第２のジョー３３ｂに近接する側と第１のジョー３３ａの背側との上下に貫通した窓部７５が形成されている。この窓部７５には、適当な高さと厚み（厚肉部）を有するとともに、背側が略ドーム型の断面形状を有する断熱部材（断熱枠）５５が配設されている。断熱部材５５としては、例えば、フッ素樹脂材、シリコーンゴム材、セラミックス材等が使用される。このため、断熱部材５５は、後述する発熱体８０から発生する熱を断熱し、伝熱部材（刃部）４８への伝熱効率を高めることができる。
【００３９】
ジョー本体５０の窓部７５に断熱部材５５を配設するために、断熱部材５５とジョー本体５０とには、それぞれ凹凸部７６が形成されている。両者の凹凸部７６によってジョー本体５０と断熱部材５５とは互いに組み合わせられる。このとき、断熱部材５５の背側表面と、ジョー本体５０の背側表面とは段差なく滑らかに繋げられる。
【００４０】
断熱部材５５の第２のジョー３３ｂに近接する側（図３（Ｂ）中の下側）には、逆Ｕ字型のＵ字溝７８が設けられている。このＵ字溝７８には、後述する発熱体８０から熱を受け取って生体組織に加熱処置を行なう伝熱部材（刃部）４８が配設されている。この伝熱部材４８は、銅、銅合金、アルミニウム合金、タングステンあるいはモリブデン等、熱を効率良く伝える材料で形成されている。なお、伝熱部材４８の外表面には、生体組織や血液が付着することを防ぐためにフッ素樹脂など、薄く非粘着性があるとともに耐熱性を有する皮膜が被覆されている。
【００４１】
この伝熱部材４８は、断熱部材５５のＵ字溝７８内では、断面が略矩形状に形成されている。このＵ字溝７８の外部では、第２のジョー３３ｂに近接する縁部４８ａに向かうにつれて細く略刃形状（Ｖ字状）またはテーパ状に形成されている。この縁部４８ａは、第２のジョー３３ｂに近接する側が真直ぐに形成されている。このため、伝熱部材４８は、外部との接触面積を小さく抑えて熱が逃げることを防止するとともに、熱を伝熱部材４８の縁部４８ａに集中させることができる。
【００４２】
この伝熱部材４８の断熱部材５５に近接する側には、断面が略矩形状の空間（略Ｕ字状の凹部）７９が形成されている。この空間７９には、伝熱部材４８に接触して配置され、通電すると発熱して伝熱部材４８に熱を伝達する発熱体（発熱手段）８０が配設されている。発熱体８０には、例えば薄膜抵抗加熱素子や厚膜抵抗加熱素子等の熱発生素子やニクロム線など電気を熱に変換する部材が用いられる。また、発熱体８０は、他に、セラミックヒーター、カートリッジヒーター、ＰＴＣヒーター等が用いられる。この発熱体８０は、伝熱部材４８との接触面積ができるだけ大きくなるように、断面が矩形状に形成されて伝熱部材４８の空間７９内に配設されている。
【００４３】
また、伝熱部材４８と断熱部材５５との間には、例えば断面が矩形状の小空間８１が設けられている。この小空間８１内には、発熱体８０に電気的に接続された複数のリード線７０（７０ａ，７０ｂ）が配設されて後方に延出されている。各リード線７０は、耐熱非導電性チューブに覆われている。なお、発熱体８０は、図３（Ａ）に示すように、第１のジョー３３ａの長手方向に沿って複数並設されていることが好適である。
【００４４】
図３（Ａ）に示すように、第１のジョー３３ａのジョー本体５０の先端部および基端部には、それぞれ凹陥状の受部５２，５３が設けられている。ジョー本体５０の受部５２，５３は、断熱部材５５のそれぞれ先端部および基端部に設けられた係合凸部５６，５７に組み付けられる。この断熱部材５５の先端部および基端部には、それぞれピン穴が設けられ、これらピン穴にそれぞれピン５８，５９が配設されて刃部４８の先端部および基端部が断熱部材５５に装着されている（図３（Ｃ）参照）。
【００４５】
図３（Ｃ）に示すように、ピン５９と断熱部材５５との間には、空間６１が形成されている。この空間６１内には、リード線７０が配設されて後方に延出されている。図３（Ａ）、図３（Ｃ）および図３（Ｄ）に示すように、刃部４８の下端には、刃部４８、断熱部材５５およびジョー本体５０の基端部を固定する固定部材６５が配設されている。図３（Ｄ）に示すように、固定部材６５は、ジョー本体５０にピン６７で固定されている。このピン６７の上部であって、ジョー本体５０の内周に接触する位置には、空間６８が形成されている。この空間６８には、複数のリード線７０を覆うチューブ７１が固定金具７２ａで固定されている。これらリード線７０ａ，７０ｂは、刃部４８の後端近傍で１つに束ねられている。なお、図３（Ａ）に示すように、この固定部材６５には、第１のジョー３３ａの基部３７が一体的に取り付けられている。
【００４６】
図３（Ａ）に示すように、リード線７０を内装する上述したチューブ７１は、固定ピン４１、枢支軸３５および駆動ピン３８の脇（上側）を通り抜けて手元側に延びている。このチューブ７１の他端は、上述した駆動軸１８の孔部１９の内周に固定金具７２ｂで固定されている。そして、リード線７０は駆動軸１８の孔部１９、チューブ２８（図１および図２参照）を通してコネクタ２９に導かれている。このため、電源装置３で接続コード４、電気コネクタ２９およびリード線７０を通して発熱体８０に通電すると、発熱体８０が発熱される。
【００４７】
なお、図５は生体組織の切開時、凝固時および凝固切開時の発熱体８０の温度変化曲線を示し、横軸が時間ｔ（秒）、縦軸が温度Ｔ（℃）である。図１に示す電源装置３は、図５に示す例えば曲線Ａ，Ｂ，Ｃに示すように発熱体８０の温度を上昇させることができる制御機構を備えていることが好適である。すなわち、電源装置３は、曲線Ａに示すように、切開時は短時間（ｔ１  ）にＴ１  まで急激に発熱体８０の温度を上昇させる設定、凝固時は曲線Ｂに示すように、徐々に（時間ｔ２  で）Ｔ２  まで温度を上昇させて数秒（ｔ３  −ｔ２  ）間維持する設定、凝固切開時は徐々にＴ２  まで温度を上昇させた後、曲線Ｃに示すように、温度をＴ１  まで急激に（時間ｔ５  −ｔ４  で）上昇させるように設定される。
なお、この温度Ｔ１  は、例えば２００℃であり、温度Ｔ２  は、例えば１８０℃である。
【００４８】
次に、上述した熱凝固切開鉗子１の作用について説明する。
術者が図１に示す処置具２の操作部７の固定ハンドル１２ａおよび可動ハンドル１２ｂの枢支軸１３を中心として可動ハンドル１２ｂを回動させる。すなわち、可動ハンドル１２ｂを固定ハンドル１２ａに対して図１中の矢印ａ，ｂ方向に接離させる。すると、駆動軸１８の手元側の取付部２６を前後に移動させて駆動軸１８を前後動させる。この駆動軸１８の前後動に従って、駆動軸１８の先端の駆動ピン３８がパイプ状部材１７に対して前後に移動する（進退する）。
【００４９】
図１に示すように、１対のジョー３３ａ，３３ｂが閉じた状態から可動ハンドル１２ｂを固定ハンドル１２ａに対して矢印ａ方向に開く。そして、駆動軸１８をパイプ状部材１７に対して前進させる。すると、駆動軸１８の先端で駆動ピン３８に枢支された第１のジョー３３ａの基部３７が駆動軸１８の前進に伴って図６中に破線で示すように前進する。
【００５０】
このとき、第２のジョー３３ｂの基部４０の固定ピン４１の位置は、パイプ状部材１７に対して変化しない。すなわち、このピン４１は、パイプ状部材１７に対して上下動および前後動することがない。なお、枢支軸３５と固定ピン４１との間の距離は変化しない。
【００５１】
そして、第１のジョー３３ａの基部３７が前方に移動すると、枢支軸３５も前方に移動する。このとき、固定ピン４１はその場で回動し、その位置は移動しない。このため、枢支軸３５が前方に移動すると、この枢支軸３５は固定ピン４１を中心として回動して固定ピン４１の上側に向かう。すなわち、第２のジョー３３ｂの基部４０が固定ピン４１を枢軸として回動する。このとき、固定ピン４１のその場での回動によって枢支軸３５を前方かつ上側に移動させる。そうすると、第２のジョー３３ｂが下側に向かって回動する。
【００５２】
一方、駆動ピン３８の前進に伴い、このように枢支軸３５が固定ピン４１に対して前方かつ上側に移動されると、第１のジョー３３ａの基部３７は駆動ピン３８を枢軸として前方かつ上側に向かって回動する。そうすると、第１のジョー３３ａが前方に移動しながら上側に向かって回動する。つまり、図４に示すように、第１のジョー３３ａおよび第２のジョー３３ｂは枢支軸３５を支点として互いに開く。なお、１対のジョー３３ａ，３３ｂを閉じるときは、図１に示す可動ハンドル１２ｂを固定ハンドル１２ａに対して矢印ｂ方向に閉じる。すると、パイプ状部材１７に対して駆動軸１８を後退させて逆の作用をする。
【００５３】
１対のジョー３３ａ，３３ｂを開閉すると、第１のジョー３３ａと駆動軸１８の孔部１９との間に設けられた弾性チューブ７１はジョー３３ａ，３３ｂの開閉に応じて湾曲する。このため、この弾性チューブ７１内に配設されたリード線７０は弾性チューブ７１内で保護され、無理な力がかかることが防止される。
【００５４】
なお、操作部７を固定した状態で挿入部本体２１の先端側に設けられた回転操作部１６を挿入部８の軸回り方向に回動させると、パイプ状部材１７と駆動軸１８および処置部９が挿入部８の軸回り方向に回動する。
【００５５】
また、操作部本体１１の挿入部固定部材１５と可動ハンドル１２ｂの駆動軸固定部材２７とを取り外すと、操作部７に対して挿入部８および処置部９を外して交換することができる。
【００５６】
次に、上述したように構成した熱凝固切開鉗子１で生体組織の凝固切開部位を凝固・切開するときの作用について説明する。
まず、発熱体８０が図５に示す曲線Ｂに沿うように温度上昇させる設定を電源装置３に行っておく。
【００５７】
術者が操作部７を把持し、固定ハンドル１２ａに対して可動ハンドル１２ｂを図１中の矢印ａ方向に回動させる。すると、駆動軸１８が前進して１対のジョー３３ａ，３３ｂが開く。この状態で熱凝固切開鉗子１を前進させて、生体組織の凝固切開部位をジョー３３ａ，３３ｂ間に介在させる。そして、可動ハンドル１２ｂを図１中の矢印ｂ方向に回動させる。すると、駆動軸１８が後退してジョー３３ａ，３３ｂが閉じる方向に回動する。
【００５８】
そして、生体組織の凝固切開したい部位を凝固処置に適した比較的小さい適正な加圧力で圧迫して把持する。すなわち、刃部（伝熱部材）４８が生体組織の凝固切開したい部位に接触している。この状態でフットスイッチ５を操作すると、フットスイッチ５からの電気信号がコード４ａを通して電源装置３に入力される。すると、電源装置３からコード４を介して処置具２に所定の電流が通電される。したがって、コネクタ２９からリード線７０を通して第１のジョー３３ａに設けられた発熱体８０に電源装置３で設定された電流が通電される。通電された発熱体８０は、例えば図５の曲線Ｂに示すように所定の温度まで発熱する。
【００５９】
発熱体８０の発熱に伴ってこの発熱体８０に接触した伝熱部材４８が次第に温度上昇し、発熱体８０の温度を適当な時間維持させると、伝熱部材４８の温度も維持される。この状態で伝熱部材４８を接触させた生体組織の部位（組織）を凝固させる。このとき、発熱体８０は窓部７５で適当な厚さを有する断熱部材５５に覆われているため、発熱体８０の発熱によって第１のジョー３３ａのジョー本体５０に熱が逃げ難い。したがって、発熱体８０から伝熱部材４８に効率良く熱が伝熱され、生体組織を効率良く焼灼（凝固）させることができる。
【００６０】
続いて、フットスイッチ５を操作すると、発熱体８０には電源装置３で設定された電流が通電される。このとき、図５の曲線Ｃに示すように、発熱体８０の温度をＴ１  まで急激に上昇させる。そして、可動ハンドル１２ｂをさらに矢印ｂ方向、すなわちジョー３３ａ，３３ｂを閉じる方向に回動させる。すると、駆動軸１８が後退してジョー３３ａ，３３ｂがさらに閉じ、伝熱部材４８を接触させた部位の生体組織が切開される。
【００６１】
以上説明したように、この実施の形態によれば、以下のような効果が得られる。
第１のジョー３３ａのジョー本体５０の窓部７５に断熱部材５５を配設し、断熱部材５５で発熱体８０の一部を覆った。このため、発熱体８０で発生させた熱がジョー本体５０に逃げることが防止され、発熱体８０で発生させた熱を効率良く（無駄なく）生体組織に伝えることができる。
【００６２】
また、断熱部材５５は第１のジョー３３ａの背中側に露出する高さと厚み、すなわち、細く小さなジョーであっても断熱部材５５に厚肉部を有するので、発熱体８０から発せられた熱を断熱するのに十分な断熱性を有する。したがって、発熱体８０で発生した熱が第１のジョー３３ａのジョー本体５０に逃げることを防止することができる。すなわち、発熱体８０から伝熱部材４８への伝熱効率をさらに向上させることができる。
【００６３】
さらに、断熱部材５５の背中側表面は、第１のジョー３３ａのジョー本体５０の背中側表面と段差なく滑らかに繋げられている。このため、ジョー３３ａ，３３ｂを閉じた状態で滑らかな背中側表面で、組織を剥離させる操作を行っても引っ掛かることがない。したがって、手術操作を安全に行なうことができる。また、ジョー３３ａの先端で血管や神経などの索状組織を扱うなどの手術操作を行なう場合であっても安全に行なうことができる。
【００６４】
また、第１のジョー３３ａのジョー本体５０の窓部７５には、ほぼ全長にわたってジョー本体５０と断熱部材５５とが組み合わせられる凹凸部７６が形成されている。このため、ジョー３３ａ，３３ｂの開閉やジョー３３ａ，３３ｂによる組織の剥離操作を行っても、第１のジョー３３ａを貫通する窓部７５が存在することによってジョー３３ａの背中側にずれてしまうことを防止することができる。また、凹凸部７６でジョー本体５０と断熱部材５５とが常に接触しているので、第１のジョー３３ａの変形が防止される。このため、第１のジョー３３ａが破損し難くなる。したがって、ジョー３３ａ，３３ｂの開閉やジョー３３ａ，３３ｂによる組織の剥離操作に必要なジョー３３ａ，３３ｂの剛性を確保することができる。
【００６５】
したがって、この実施の形態の熱凝固切開鉗子１によれば、発熱体８０で発生させた熱を無駄なく目的組織に伝えることができる。また、熱凝固切開鉗子１で発熱手段をしっかりと保持・固定することができるので、生体組織を強く把持しても大きな変形や破損が生じ難くすることができる。すなわち、この熱凝固関し１は、耐久性を備えているので、安全に使用することができる。
【００６６】
この実施の形態では、断熱部材５５を第１のジョー３３ａに配設したが、さらに第２のジョー３３ｂの受部４３を断熱部材にしても良い。また、このときの第２のジョー３３ｂの受部４３の断熱部材は、例えば横断面がＵ字状やコ字状など、外部に露出した伝熱部材４８全体を覆える形状であることが好適である。このため、発熱体８０で発生させた熱をさらに効率良く生体組織に伝達することができる。
【００６７】
また、この実施の形態では、第１のジョー３３ａのジョー本体５０を金属材やプラスチック材としたが、ジョー本体５０を例えば断熱部材で一体成形することが好適である。そうすると、ジョー本体５０に窓部を形成する必要がなくなるので成形しやすく、かつ、部品数を減らすことができる。このため、第１のジョー３３ａ自体を小型化することができる（大型化することを防止することができる）。また、さらに断熱性を高めることができ、伝熱部材４８への伝熱効率を上昇させることができる。
【００６８】
なお、この実施の形態では、挿入部８を構成するパイプ状部材１７と駆動軸１８とを硬質部材として形成した。他に、パイプ状部材１７と駆動軸１８とを軟性部材として、挿入部８の湾曲や折れ曲がりが可能な、操作性の良い軟性処置具としても良い。
【００６９】
次に、第１の実施の形態で説明したパイプ状部材１７および駆動軸１８の変形例について図７を用いて説明する。
【００７０】
図７（Ａ）ないし図７（Ｃ）に示すように、パイプ状部材１７と駆動軸１８との間には、空間（隙間）９１ａ−９１ｃ（以下、代表して主に符号９１を付す）が設けられている。この空間９１は、挿入部本体２１に設けられたポート２４（図１および図２参照）に連通されている。
【００７１】
この熱凝固切開鉗子１の使用後、ポート２４から洗浄液を強く流し込むと、洗浄液は、パイプ状部材１７と駆動軸１８との間の空間９１を洗浄しながらパイプ状部材１７の先端方向に向かって流れる。パイプ状部材１７の後端側は、図１および図２に示すシール部材２２でシールされている。このため、洗浄液は、図７（Ｂ）および図７（Ｃ）に示す隙間９１から汚れとともに外部に流れ出す。その後、ポート２４から隙間９１内に送気するなどして隙間９１内を乾燥させる。
【００７２】
したがって、従来の熱凝固切開鉗子では洗浄し難かったパイプ状部材１７と駆動軸１８との間の空間９１をきれいに洗浄することができる。
【００７３】
次に、第２の実施の形態について図８ないし図１０を用いて説明する。この実施の形態に係わる医療器械１００は、第１の実施の形態で説明した処置具２の変形例である。
【００７４】
図８（Ａ）に示すように、医療器械１００は、細長い挿入部１０２と、この挿入部１０２の手元側に設けられた操作部１０３とを備えている。挿入部１０２の先端側には、処置部１０４が設けられている。また、操作部１０３の後端からは、長い接続コード１０５が手元側に延び、図示しない電源に接続されている。
【００７５】
処置部１０４には、１対のアーム１０７ａ，１０７ｂが設けられ、アーム１０７ａ，１０７ｂの手元側は連結部１０９で一体化されている。また、アーム１０７ａ，１０７ｂそれぞれの先端近傍およびその内側には、互いに接触したり（図８（Ｂ）参照）、間隔を開けて開く（図８（Ｃ）参照）ように接離する対向面１１１ａ，１１１ｂが形成されている。両アーム１０７ａ，１０７ｂの中間または手元側はバネ性を有する弾性部材１１２ａ，１１２ｂで形成されている。
【００７６】
一方、操作部１０３は、略筒状で下方側に貫通孔を有するハウジング１１４を備えている。このハウジング１１４の内部の空間１１５には、駆動体（駆動軸）１１６が設けられている。この駆動体１１６は、ハウジング１１４の内部の空間１１５の中で前後に移動自在（進退自在）である。ハウジング１１４の一部と駆動体１１６の一部とは、略Ｕ字型のバネ１１８で連結されている。このバネ１１８の一端（先端）は駆動体１１６に接続され、他端（基端）はハウジング１１４に接続されている。このバネ１１８は、駆動体１１６をハウジング１１４に対して先端方向に付勢している。バネ１１８の前後は、術者が指を掛けて保持する指掛け部１１９ａ，１１９ｂとして形成されている。このため、指掛け部１１９ａ，１１９ｂを強く握ってバネ１１８を圧縮すると、駆動体１１６が手元側へ移動する。
【００７７】
この駆動体１１６と、上述した連結部１０９とは、駆動ワイヤ（駆動軸）１２１で連結されている。この駆動ワイヤ１２１は、駆動体１１６の運動（進退動作）を連結部１０９へ伝達する。この駆動ワイヤ１２１の外周は、操作部１０３のハウジング１１４に連結された管状部材１２３で駆動ワイヤ１２１を進退可能に覆っている。この管状部材１２３の先端は、アーム１０７ａ，１０７ｂのガイド部（偏向手段）１２５として形成されている。このため、駆動ワイヤ１２１の進退に伴ってアーム１０７ａ，１０７ｂがこのガイド部１２５に接触して開閉しながら前後に進退（移動）する。
【００７８】
図９（Ａ）は処置部１０４を拡大した概略的な断面図を示す。一方のアーム１０７ａの対向面１１１ａには、通電すると発熱する発熱体（発熱手段）１２７が１つあるいは複数（ここでは２つ）設けられている。この発熱体１２７は、例えば薄膜抵抗加熱素子や厚膜抵抗加熱素子等の熱発生素子やニクロム線など電気を熱に変換する部材が用いられる。また、発熱体１２７は、他に、セラミックヒーター、カートリッジヒーター、ＰＴＣヒーター等が用いられる。発熱体１２７が設けられた対向面１１１ａには、他のアーム１０７ｂの対向面１１１ｂに向けて露出する伝熱面１２８が発熱体１２７に接触した状態に設けられている。この伝熱面１２８は、銅、銅合金、アルミニウム合金、タングステンあるいはモリブデン等、熱を効率良く伝える金属材で形成されている。
【００７９】
図９（Ｂ）に示すように、対向面１１１ａの伝熱面１２８は、他のアーム１０７ｂの対向面１１１ｂ側に近づくにつれてテーパ状に細く形成されている。これは、外部との接触面積を小さくして伝熱効率を上昇させるとともに、熱を一部に集中させて切開性を向上させるためである。この伝熱面１２８の外表面には、生体組織や血液が付着することを防ぐためにフッ素樹脂などの薄く非粘着性の皮膜が被覆されている。
【００８０】
また、図９（Ａ）に示すように、発熱体１２７には、複数のリード線１２９がアーム１０７ａ、連結部１０９および駆動ワイヤ１２１の内部を通して手元側の駆動体１１６まで延びている。なお、リード線１２９は、絶縁被覆され、かつ、アーム１０７ａ、連結部１０９および駆動ワイヤ１２１もリード線１２９の電気的影響や熱の影響を防止するため、樹脂などの耐熱非導電体で形成されていることが好ましい。そして、リード線１２９の端部は接続コード１０５によって図示しない電源に接続される。このため、発熱体１２７は、電源から接続コード１０５およびリード線１２９を通して通電されて発熱する。この発熱体１２７および伝熱面１２８は断熱材１３０で覆われている。断熱材１３０の材質は、フッ素樹脂やＰＥＥＫ（ポリエーテルエーテルケトン）などが考えられる。このため、発熱体１２７が発熱すると、断熱材１３０から熱が逃げ難いので効率良く伝熱面１２８に伝熱される。なお、電源は、第１の実施の形態で図６を用いて説明したように、発熱体１２７の温度制御が可能であることが好適である。
【００８１】
反対側のアーム１０７ｂの対向面１１１ｂには、閉じたときに発熱体１２７が装着された伝熱面１２８に接触する受取面１３１が設けられている。この受取面１３１は、耐熱性と断熱性とを備えた材料で形成されている。この受取面１３１の材料には、例えば、シリコーンゴム材やフッ素樹脂材などが使用される。なお、アーム１０７ｂには、この受取面１３１の代わりに、アーム１０７ａと同じ発熱体１２７、伝熱面１２８およびリード線１２９が組み込んであっても良い。
【００８２】
次に、上述した医療器械１００の作用について説明する。
図８（Ａ）に示す指掛け部１１９ａ，１１９ｂを強く握ってバネ１１８を圧縮保持し、駆動体１１６を手元側に引っ張るとともに駆動ワイヤ１２１を手元側に引っ張る。すると、連結部１０９がガイド部１２５の内部の奧まで引き込まれる。これに伴ってアーム１０７ａ，１０７ｂがガイド部１２５に押されて管状部材１２３の内側に片寄り、対向面１１１ａ，１１１ｂ同士が接触する（図８（Ｂ）参照）。すなわち、対向面１１１ａ，１１１ｂが閉じる。
【００８３】
また、図８（Ａ）に示す指掛け部１１９ａ，１１９ｂを離す。このようにして駆動体１１６を先端側に付勢させ、駆動ワイヤ１２１を手元側先端側に押し出すと連結部１０９がガイド部１２５の近くまで前進する。これに伴ってアーム１０７ａ，１０７ｂはガイド部１２５によって管状部材１２３の内側に閉じられることなく、自らの弾性によって外側に移動して対向面１１１ａ，１１１ｂが間隔を開けて開いた状態となる（図８（Ｃ）参照）。
【００８４】
処置部１０４を管状部材１２３のガイド部１２５に対して突没させてアーム１０７ａ，１０７ｂを開閉する。すなわち、操作部１０３に設けられたバネ１１８の握持およびその解放によってアーム１０７ａ，１０７ｂをガイド部（偏向手段）１２５に対して突没（進退）させながら開閉して偏向させる。アーム１０７ａ，１０７ｂが開いた状態で生体組織を接触させた後、アーム１０７ａ，１０７ｂを閉じて適当な力で生体組織をアーム１０７ａ，１０７ｂ間に挟む。そして、電源から接続コード１０５およびリード線１２９を通して発熱体１２７に通電して発熱体１２７を所定の温度まで発熱させて伝熱面１２８に熱を伝熱する。このため、伝熱面１２８で生体組織が熱凝固される。また、発熱体１２７の温度をさらに上昇させると、生体組織が切開される。
この実施の形態では、処置部１０４のアーム１０７ａ，１０７ｂが２本の場合について説明した。他に、アームが例えば１本あるいは３本以上（複数）とした場合もその効果は同様である。例えばアームを等間隔に３本としたときには、アームは蕾状に形成されて開閉される。
【００８５】
以上説明したように、この実施の形態によれば、構造が簡単であるにも関わらず、安定した凝固能力および切開能力を発揮でき、挿入部１０２や、処置部１０４が更に細くて小さな医療器械として形成することができる。また、発熱体１２７および伝熱面１２８は断熱材１３０で覆われている。このため、発熱体１２７が発熱しても断熱材１３０の温度変化が少なく、処置部１０４（断熱材１３０）に生体組織が付着することを防止することができる。このため、処置効率の低下を防止することができるとともに、掃除の手間を減少させることができる。
【００８６】
また、高周波電流などを使用しないので、電源を簡素化・小型化することができる。さらに、発熱体１２７を温度制御する、すなわち電源から所望の電流が流れるように設定することによって、用途に応じた熱凝固具合を得ることができる。
【００８７】
なお、図１０に示すように、医療器械１４０の管状部材１４２は、図８（Ａ）に示す処置具１００の管状部材１２３とは異なり、その先端部近傍から基端部にかけて内周が厚肉に形成されている。このため、バネ１１８の指掛け部１１９ａ，１１９ｂを強く握って処置部１０４を内部に引き込むと、処置部１０４の管状部材１４２の厚肉部の先端部で処置部１０４の連結部１０９が当接される。そうすると、術者が当接による引っ掛かりを感じて余計な力をかける必要がなくなる。また、このように当接された位置で処置部１０４の先端部が管状部材１４２の先端部よりも基端部側にひきこまれた状態にあることが好適である。
【００８８】
これまで、いくつかの実施の形態について図面を参照しながら具体的に説明したが、この発明は、上述した実施の形態に限定されるものではなく、その要旨を逸脱しない範囲で行なわれるすべての実施を含む。
上記説明によれば、下記の事項の発明が得られる。また、各項の組み合わせも可能である。
【００８９】
［付記］
（付記項１）  対向配置され、互いに対して開閉可能に生体組織を把持する１対の把持部本体と、
前記把持部本体の少なくとも一方に配設され、発熱する発熱手段と、
前記発熱手段の少なくとも一部を覆う断熱部材と、
前記発熱手段が配設された把持部本体に対して対向する把持部本体に向けて前記発熱手段により発生させた熱を伝熱する伝熱手段と
を具備することを特徴とする医療器械。
【００９０】
（付記項２）  前記発熱手段が配設された前記把持部本体は、この把持部本体の外周面から対向配置された他方の把持部本体に面する対向面に対して貫通する窓部を備え、この窓部には、少なくとも断熱部材が配設されていることを特徴とする付記項１に記載の医療器械。
【００９１】
（付記項３）  前記発熱手段を備えた把持部本体は、断熱部材で形成されていることを特徴とする付記項１に記載の医療器械。
【００９２】
（付記項４）  前記把持部本体は、手元側に開閉操作部を備えたことを特徴とする付記項１に記載の医療器械。
【００９３】
（付記項５）  第１のジョー本体と、この第１のジョー本体に設けられた断熱部材と、この断熱部材に少なくとも一部が覆われた状態で発熱する発熱手段と、この発熱手段により発生させた熱を伝熱する伝熱手段とを有する第１のジョーと、
この第１のジョーの伝熱手段を受ける第２のジョーと、
これら第１および第２のジョーの基端部を開閉可能に枢支する枢支軸と、
これら第１および第２のジョーを開閉させる開閉手段と、
この開閉手段を操作する操作部と、
前記発熱手段に電力を供給する電源と
を具備することを特徴とする医療器械。
【００９４】
（付記項６）  前記第１のジョー本体は、このジョー本体の外周面から第２のジョー本体に面する対向面に対して貫通する窓部を備え、この窓部に前記断熱部材が少なくとも配設されていることを特徴とする付記項５に記載の医療器械。
【００９５】
（付記項７）  前記第１のジョー本体と断熱部材との境界には、噛合凹凸部が設けられていることを特徴とする付記項６に記載の医療器械。
【００９６】
（付記項８）  前記伝熱手段は、前記発熱手段から熱を受ける位置の断面が前記第２のジョーに近接する位置の断面よりも小さく形成されていることを特徴とする付記項５ないし付記項７のいずれか１に記載の医療器械。
【００９７】
（付記項９）  先端部に生体組織を把持する１対の把持部を備え、前記把持部の少なくとも一方に熱を発生させ、他方側に向けて熱を伝達させる熱源部を備え、手元側に前記把持部を開閉させる操作部を備えた医療器械において、
前記熱源部の少なくとも一部を断熱部材で覆ったことを特徴とする医療器械。
【００９８】
（付記項１０）  通電によって発熱する発熱部材と、
該発熱部材を保持し、断熱部材よりなる第１のジョーと、
該発熱部材に対向する受部を有し、断熱部材よりなる第２のジョーと、
前記第１および第２のジョーに接続され、前記第１および第２のジョーの開閉操作を行なう操作部と
からなる医療機器。
【００９９】
（付記項１１）  互いに開閉可な一対のジョーと、
ジョーの手元側に設けられた操作部と、
少なくとも一方のジョーに設けられ、他方のジョーに面する対向面から反対側外周表面まで貫通する窓と、
窓内に固定された断熱部材と、
少なくとも一部分が前記断熱部材に覆われ、通電により発熱する発熱手段と、
発熱手段に接続された通電手段と、
からなることを特徴とする医療器械。
【０１００】
（付記項１２）  付記項１１において、
窓の縁部または近傍に少なくとも１つの厚肉部を設けたことを特徴とする医療器械。
【０１０１】
（付記項１３）  弾性を有し、先端近傍に発熱手段が設けられた１つあるいは複数のアームとからなる処置部と、
前記発熱手段に連結された通電手段と、
処置部の手元側に設けられた操作部と、
処置部の近傍にあって、前記アームを一定の方向に偏向させるガイド手段と、
からなることを特徴とする医療器械。
【０１０２】
（付記項１４）  付記項１３において、
処置部と操作部の間に細長の挿入部が設けられ、
操作部が管状部材と管状部材の中を貫通し長軸方向に移動可能な駆動軸とを有し、
前記アームが前記駆動軸に連結され、前記ガイド手段が前記管状部材に連結されていることを特徴とする医療器械。
【０１０３】
【発明の効果】
以上説明したように、この発明によれば、発熱手段で発生した熱を無駄なく目的組織へ伝えることができる医療器械を提供することができる。
【０１０４】
また、安定した凝固能力および切開能力を発揮し、かつ、先端の処置部に生体組織が付着し難く、再出血を防止することができる安全で、構造が簡単な医療器械を提供することができる。
【図面の簡単な説明】
【図１】第１の実施の形態に係わる熱凝固切開鉗子の構成を示す概略図。
【図２】第１の実施の形態に係わる熱凝固鉗子における処置具を示す概略的な部分断面図。
【図３】第１の実施の形態に係わる熱凝固鉗子における処置具を示し、（Ａ）は第１のジョーの概略的な断面図、（Ｂ）は（Ａ）の３Ｂ−３Ｂ線に沿う断面図、（Ｃ）は（Ａ）の３Ｃ−３Ｃ線に沿う断面図、（Ｄ）は（Ａ）の３Ｄ−３Ｄ線に沿う断面図。
【図４】第１の実施の形態に係わる熱凝固鉗子における処置具の処置部を示す概略的な断面図。
【図５】第１の実施の形態に係わる熱凝固鉗子における電源装置で制御する発熱体の温度を示すグラフ。
【図６】第１の実施の形態に係わる熱凝固鉗子における処置具の挿入部と処置部の境界部近傍を示す断面図。
【図７】（Ａ）は第１の実施の形態に係わる熱凝固鉗子の変形例における処置具の挿入部と処置部の境界部近傍を示す断面図、（Ｂ）は（Ａ）の７Ｂ−７Ｂ線に沿う断面図、（Ｃ）は（Ａ）の７Ｃ−７Ｃ線に沿う断面図。
【図８】（Ａ）は第２の実施の形態に係わる熱凝固鉗子の処置具の概略的な断面図、（Ｂ）は（Ａ）の処置具の処置部が閉じた状態を示す概略的な断面図、（Ｃ）は（Ａ）の処置具の処置部が開いた状態を示す概略的な断面図。
【図９】（Ａ）は第２の実施の形態に係わる熱凝固鉗子の処置具の処置部が開いた状態を示す概略的な側面図、（Ｂ）は（Ａ）の９Ｂ−９Ｂ線に沿う断面図。
【図１０】第２の実施の形態に係わる熱凝固鉗子の変形例における概略的な部分断面斜視図。
【符号の説明】
１…熱凝固切開鉗子、２…処置具、８…挿入部、９…処置部、３３ａ…第１のジョー、３３ｂ…第２のジョー、３５…枢支軸、３７…基部、３８…駆動ピン、４０…基部、４１…固定ピン、４２…ジョー本体、４３…受部、４８…伝熱部材（刃部）、５０…ジョー本体、５５…断熱部材、７０（７０ａ．７０ｂ）…リード線、７５…窓部、７６…凹凸部、７８…Ｕ字溝、７９…空間、８０…発熱体、８１…小空間
【図１】
2005040215.tif 000003
【図２】
2005040215.tif 000004
【図３】
2005040215.tif 000005
【図４】
2005040215.tif 000006
【図５】
2005040215.tif 000007
【図６】
2005040215.tif 000008
【図７】
2005040215.tif 000009
【図８】
2005040215.tif 000010
【図９】
2005040215.tif 000011
【図１０】
2005040215.tif 000012